(57)【要約】【課題】本発明は絞りやすい吸水ヘアキャップを開示した。【解決手段】ゴムスラブを含み、前記ゴムスラブの頂面にはフックが固定的に設置され、前記ゴムスラブの底壁には第一回転軸が左右対称的に回転できるように設置され、前記第一回転軸の底端には第一固定ブロックが固定的に設置され、本発明の絞りやすい吸水ヘアキャップは操作が簡単で、反応が速く、絞る効率が高く、また、本発明装置は簡便で、安全で信頼でき、実用性が強いのである。【選択図】図１
2020175151.tif 000002
【特許請求の範囲】
【請求項１】
正面視で、ゴムスラブを含み、前記ゴムスラブの頂面にはフックが固定的に設置され、前記ゴムスラブの底壁には第一回転軸が左右対称的に回転できるように設置され、前記第一回転軸の底端には第一固定ブロックが固定的に設置され、左側の前記第一固定ブロックの中には第一空きチャンバが設置され、前記第一空きチャンバの底壁の中には第二空きチャンバが設置され、前記第二空きチャンバと前記第一空きチャンバとの間の端壁の中にはモーターが固定的に設置され、前記モーターの頂端には第一主動軸が動力が伝達できるように連結され、前記モーターの底端には第二主動軸が動力が伝達できるように連結され、前記第一主動軸の末端には第一ギヤが固定的に設置され、前記第二空きチャンバの右側端壁の中には上下に貫通している回転チャンバが設置され、前記回転チャンバの中には第一回転ブロックが回転できるように設置され、前記第一回転ブロックの外側には前記第一ギヤと噛み合っている第二ギヤが固定的に設置され、前記第一回転ブロックの中には上下に伸びている雌ネジ及び前記雌ネジと噛み合っているネジロッドが設置され、前記第一固定ブロックの底面には連結アームが固定的に設置され、前記連結アームの底面には第二固定ブロックが固定的に設置され、左側の前記第二固定ブロックの中には第三空きチャンバが設置され、前記第三空きチャンバの右側端壁の中には右方へ伸びている第一スプライン軸が回転できるように設置され、前記第三空きチャンバと前記第二空きチャンバとの間には前記連結アームの中に位置している第二回転軸が回転できるように設置され、前記第二回転軸と前記第二主動軸との間には第一自在継ぎ手が固定的に設置され、前記第一スプライン軸と前記第二回転軸との間には第二自在継ぎ手が固定的に設置され、右側の前記第二固定ブロックの中には左方へ伸びている第二スプライン軸が回転できるように設置され、前記第一スプライン軸には第一永久磁石が固定的に設置され、前記第二スプライン軸には第二永久磁石が固定的に設置され、前記第二永久磁石と前記第一永久磁石の底面には棒磁石が吸着できるように設置され、前記棒磁石の底面にはヘアキャップタオルが固定的に設置され、前記第一スプライン軸の右側末端には前記第一スプライン軸及び前記第二スプライン軸と噛み合っているスプラインスリーブがスライドできるように設置され、前記スプラインスリーブの外側には第三固定ブロックが固定的に設置され、前記第二スプライン軸の左側末端には第四固定ブロックが固定的に設置され、前記第四固定ブロックと前記第三固定ブロックとの間には第一バネが固定的に連結されており、したがって、モーターが第一スプライン軸と第二スプライン軸とを回転連動させ、またネジロッドを下方へスライド連動させることを特徴とする絞りやすい吸水ヘアキャップ。
【請求項２】
左右二つの前記第一固定ブロックの前記ゴムスラブに近接している鉛直中心のところには下方に開口した第一スライド溝が設置され、前記第一スライド溝の中にはスライドロッドがスライドできるように設置され、前記スライドロッドと前記第一スライド溝の頂壁との間には第二バネが固定的に連結され、左側の前記第一固定ブロックの右端壁には右方に開口した凹溝が設置され、右側の前記第一固定ブロックの中には左方に開口した第二スライド溝が設置され、前記第二スライド溝の中には前記凹溝の中に伸びることができるスライドブロックがスライドできるように設置され、前記スライドブロックの中には上下に貫通している抜き穴が設置され、前記スライドブロックと前記第二スライド溝の右側端壁との間には第三バネが固定的に連結され、右側の前記第一スライド溝と前記第二スライド溝との間には第三スライド溝が連通するように設置され、右側の前記スライドロッドの頂面には前記第三スライド溝と前記抜き穴との中に伸びている斜めブロックが固定的に設置されており、それによって、スライドロッドが下方へスライドし、スライドブロックを第三バネの引張力の作用の下で右方へスライドさせることを特徴とする請求項１に記載の絞りやすい吸水ヘアキャップ。
【請求項３】
左端の前記スライドロッドの底面には第二回転ブロックが固定的に設置され、右端の前記スライドロッドの底面には第三回転ブロックが固定的に設置され、前記第三回転ブロックの左端壁には左方に開口した第四空きチャンバが設置され、前記第四空きチャンバの上下端壁の間には第三回転軸が回転できるように設置され、前記第三回転軸には前記第二回転ブロックの右側端面と固定的に連結された連結ブロックが固定的に設置され、前記第二回転ブロックの底面には前記第三固定ブロックを推し動かす第一押しブロックが固定的に設置され、前記第三回転ブロックの底端には前記第四固定ブロックを押し動かす第二押しブロックが固定的に設置されており、それによって、第二回転ブロックと第三回転ブロックとがそれぞれ第一押しブロックと第二押しブロックとを下方へスライド連動させ、同時に第二回転ブロックと第三回転ブロックが第三回転軸を回って回転することができることを特徴とする請求項１に記載の絞りやすい吸水ヘアキャップ。
【発明の詳細な説明】
【技術分野】
【０００１】
本発明は入浴用具分野に関わり、具体的には絞りやすい吸水ヘアキャップである。
【背景技術】
【０００２】
伝統的な吸水ヘアキャップは吸水性がよく、布地がばさばさで、快速に絞って水分を取り除くことが難しく、また、普通のヘアキャップのタオルを収納する時、折り畳んで占用されるスペースが大きく、ハンガーでヘアキャップをシャワー室にかける時、広がってかけるので、空気との接触面積が多きく、水分を吸収しやすく、水分を吸収したタオルは雑菌が繁殖しやすく、したがって、絞りやすい吸水ヘアキャップを設計して、上記の問題を解決する必要がある。
【先行技術文献】
【特許文献】
【０００３】
【特許文献１】中国特許出願公開第１０７５３６２２２号明細書
【発明の概要】
【発明が解決しようとする課題】
【０００４】
本発明が解決する技術問題は絞りやすい吸水ヘアキャップを提供し、それは上記既存の技術の中にある問題を解決できる。
【課題を解決するための手段】
【０００５】
本発明は以下の技術プランにより実現される：本発明の絞りやすい吸水ヘアキャップは、ゴムスラブを含み、前記ゴムスラブの頂面にはフックが固定的に設置され、前記ゴムスラブの底壁には第一回転軸が左右対称的に回転できるように設置され、前記第一回転軸の底端には第一固定ブロックが固定的に設置され、左側の前記第一固定ブロックの中には第一空きチャンバが設置され、前記第一空きチャンバの底壁の中には第二空きチャンバが設置され、前記第二空きチャンバと前記第一空きチャンバとの間の端壁の中にはモーターが固定的に設置され、前記モーターの頂端には第一主動軸が動力が伝達できるように連結され、前記モーターの底端には第二主動軸が動力が伝達できるように連結され、前記第一主動軸の末端には第一ギヤが固定的に設置され、前記第二空きチャンバの右側端壁の中には上下に貫通している回転チャンバが設置され、前記回転チャンバの中には第一回転ブロックが回転できるように設置され、前記第一回転ブロックの外側には前記第一ギヤと噛み合っている第二ギヤが固定的に設置され、前記第一回転ブロックの中には上下に伸びている雌ネジ及び前記雌ネジと噛み合っているネジロッドが設置され、前記第一固定ブロックの底面には連結アームが固定的に設置され、前記連結アームの底面には第二固定ブロックが固定的に設置され、左側の前記第二固定ブロックの中には第三空きチャンバが設置され、前記第三空きチャンバの右側端壁の中には右方へ伸びている第一スプライン軸が回転できるように設置され、前記第三空きチャンバと前記第二空きチャンバとの間には前記連結アームの中に位置している第二回転軸が回転できるように設置され、前記第二回転軸と前記第二主動軸との間には第一自在継ぎ手が固定的に設置され、前記第一スプライン軸と前記第二回転軸との間には第二自在継ぎ手が固定的に設置され、右側の前記第二固定ブロックの中には左方へ伸びている第二スプライン軸が回転できるように設置され、前記第一スプライン軸には第一永久磁石が固定的に設置され、前記第二スプライン軸には第二永久磁石が固定的に設置され、前記第二永久磁石と前記第一永久磁石の底面には棒磁石が吸着できるように設置され、前記棒磁石の底面にはヘアキャップタオルが固定的に設置され、前記第一スプライン軸の右側末端には前記第一スプライン軸及び前記第二スプライン軸と噛み合っているスプラインスリーブがスライドできるように設置され、前記スプラインスリーブの外側には第三固定ブロックが固定的に設置され、前記第二スプライン軸の左側末端には第四固定ブロックが固定的に設置され、前記第四固定ブロックと前記第三固定ブロックとの間には第一バネが固定的に連結されている。
【０００６】
好ましくは、左右二つの前記第一固定ブロックの前記ゴムスラブに近接している鉛直中心のところには下方に開口した第一スライド溝が設置され、前記第一スライド溝の中にはスライドロッドがスライドできるように設置され、前記スライドロッドと前記第一スライド溝の頂壁との間には第二バネが固定的に連結され、左側の前記第一固定ブロックの右端壁には右方に開口した凹溝が設置され、右側の前記第一固定ブロックの中には左方に開口した第二スライド溝が設置され、前記第二スライド溝の中には前記凹溝の中に伸びることができるスライドブロックがスライドできるように設置され、前記スライドブロックの中には上下に貫通している抜き穴が設置され、前記スライドブロックと前記第二スライド溝の右側端壁との間には第三バネが固定的に連結され、右側の前記第一スライド溝と前記第二スライド溝との間には第三スライド溝が連通するように設置され、右側の前記スライドロッドの頂面には前記第三スライド溝と前記抜き穴との中に伸びている斜めブロックが固定的に設置されている。
【０００７】
好ましくは、左端の前記スライドロッドの底面には第二回転ブロックが固定的に設置され、右端の前記スライドロッドの底面には第三回転ブロックが固定的に設置され、前記第三回転ブロックの左端壁には左方に開口した第四空きチャンバが設置され、前記第四空きチャンバの上下端壁の間には第三回転軸が回転できるように設置され、前記第三回転軸には前記第二回転ブロックの右側端面と固定的に連結された連結ブロックが固定的に設置され、前記第二回転ブロックの底面には前記第三固定ブロックを推し動かす第一押しブロックが固定的に設置され、前記第三回転ブロックの底端には前記第四固定ブロックを押し動かす第二押しブロックが固定的に設置されている。
【発明の効果】
【０００８】
以上により、本発明の絞りやすい吸水ヘアキャップは操作が簡単で、反応が速く、絞る効率が高く、また、本発明装置は簡便で、安全で信頼でき、実用性が強いのである。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の絞りやすい吸水ヘアキャップの全体構成概略図
【図２】図２は図１の中のＡの拡大構成概略図
【図３】図３は図２の中のＢの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜３に示すように、本発明の絞りやすい吸水ヘアキャップは、ゴムスラブ１１を含み、前記ゴムスラブ１１の頂面にはフック１０が固定的に設置され、前記ゴムスラブ１１の底壁には第一回転軸１２が左右対称的に回転できるように設置され、前記第一回転軸１２の底端には第一固定ブロック１３が固定的に設置され、左側の前記第一固定ブロック１３の中には第一空きチャンバ１４が設置され、前記第一空きチャンバ１４の底壁の中には第二空きチャンバ２０が設置され、前記第二空きチャンバ２０と前記第一空きチャンバ１４との間の端壁の中にはモーター１７が固定的に設置され、前記モーター１７の頂端には第一主動軸１６が動力が伝達できるように連結され、前記モーター１７の底端には第二主動軸１８が動力が伝達できるように連結され、前記第一主動軸１６の末端には第一ギヤ１５が固定的に設置され、前記第二空きチャンバ２０の右側端壁の中には上下に貫通している回転チャンバ４０が設置され、前記回転チャンバ４０の中には第一回転ブロック３４が回転できるように設置され、前記第一回転ブロック３４の外側には前記第一ギヤ１５と噛み合っている第二ギヤ３７が固定的に設置され、前記第一回転ブロック３４の中には上下に伸びている雌ネジ３５及び前記雌ネジ３５と噛み合っているネジロッド３６が設置され、前記第一固定ブロック１３の底面には連結アーム２２が固定的に設置され、前記連結アーム２２の底面には第二固定ブロック２３が固定的に設置され、左側の前記第二固定ブロック２３の中には第三空きチャンバ２４が設置され、前記第三空きチャンバ２４の右側端壁の中には右方へ伸びている第一スプライン軸２６が回転できるように設置され、前記第三空きチャンバ２４と前記第二空きチャンバ２０との間には前記連結アーム２２の中に位置している第二回転軸２１が回転できるように設置され、前記第二回転軸２１と前記第二主動軸１８との間には第一自在継ぎ手１９が固定的に設置され、前記第一スプライン軸２６と前記第二回転軸２１との間には第二自在継ぎ手２５が固定的に設置され、右側の前記第二固定ブロック２３の中には左方へ伸びている第二スプライン軸３３が回転できるように設置され、前記第一スプライン軸２６には第一永久磁石２８が固定的に設置され、前記第二スプライン軸３３には第二永久磁石３１が固定的に設置され、前記第二永久磁石３１と前記第一永久磁石２８の底面には棒磁石２９が吸着できるように設置され、前記棒磁石２９の底面にはヘアキャップタオル３０が固定的に設置され、前記第一スプライン軸２６の右側末端には前記第一スプライン軸２６及び前記第二スプライン軸３３と噛み合っているスプラインスリーブ５５がスライドできるように設置され、前記スプラインスリーブ５５の外側には第三固定ブロック５４が固定的に設置され、前記第二スプライン軸３３の左側末端には第四固定ブロック５６が固定的に設置され、前記第四固定ブロック５６と前記第三固定ブロック５４との間には第一バネ５３が固定的に連結されている。
【００１３】
有益なように、左右二つの前記第一固定ブロック１３の前記ゴムスラブ１１に近接している鉛直中心のところには下方に開口した第一スライド溝４１が設置され、前記第一スライド溝４１の中にはスライドロッド４３がスライドできるように設置され、前記スライドロッド４３と前記第一スライド溝４１の頂壁との間には第二バネ４２が固定的に連結され、左側の前記第一固定ブロック１３の右端壁には右方に開口した凹溝３９が設置され、右側の前記第一固定ブロック１３の中には左方に開口した第二スライド溝４５が設置され、前記第二スライド溝４５の中には前記凹溝３９の中に伸びることができるスライドブロック４８がスライドできるように設置され、前記スライドブロック４８の中には上下に貫通している抜き穴４７が設置され、前記スライドブロック４８と前記第二スライド溝４５の右側端壁との間には第三バネ４９が固定的に連結され、右側の前記第一スライド溝４１と前記第二スライド溝４５との間には第三スライド溝４９が連通するように設置され、右側の前記スライドロッド４３の頂面には前記第三スライド溝４９と前記抜き穴４７との中に伸びている斜めブロック４４が固定的に設置されている。
【００１４】
有益なように、左端の前記スライドロッド４３の底面には第二回転ブロック５０が固定的に設置され、右端の前記スライドロッド４３の底面には第三回転ブロック６０が固定的に設置され、前記第三回転ブロック６０の左端壁には左方に開口した第四空きチャンバ５８が設置され、前記第四空きチャンバ５８の上下端壁の間には第三回転軸５９が回転できるように設置され、前記第三回転軸５９には前記第二回転ブロック５０の右側端面と固定的に連結された連結ブロック５１が固定的に設置され、前記第二回転ブロック５０の底面には前記第三固定ブロック５４を推し動かす第一押しブロック５２が固定的に設置され、前記第三回転ブロック６０の底端には前記第四固定ブロック５６を押し動かす第二押しブロック５７が固定的に設置されている。
【００１５】
以下、出願人は附図１〜３及び上記の本出願の絞りやすい吸水ヘアキャップの具体的な構成を参考してその使用方法を詳しく紹介する：
【００１６】
最初、初期状態にある時、スプラインスリーブ５５が第二スプライン軸３３と伝動できるように作動し合い、スライドブロック４８が凹溝３９の中に伸びている。
【００１７】
棒磁石２９を第一永久磁石２８と第二永久磁石３１とに吸着させ、その後、モーター１７を始動し、モーター１７が第一主動軸１６と第二主動軸１８とを回転連動させ、第二主動軸１８が第二回転軸２１を回転連動させ、第二回転軸２１が第一スプライン軸２６を回転連動させ、第一スプライン軸２６がスプラインスリーブ５５によって第二スプライン軸３３を回転連動させ、第一スプライン軸２６と第二スプライン軸３３とがそれぞれ第一永久磁石２８と第二永久磁石３１とを回転連動させ、この時にヘアキャップタオル３０が回転して第一永久磁石２８と第二永久磁石３１に巻き付く。
【００１８】
それと同時に、第一主動軸１６が第一ギヤ１５を回転連動させ、第一ギヤ１５が第二ギヤ３７と第一回転ブロック３４とを回転連動させ、第一回転ブロック３４が回転してネジロッド３６を下方へスライド連動させ、ネジロッド３６が第二回転ブロック５０を押し、第二回転ブロック５０と第三回転ブロック６０とが下方へスライドして巻いたヘアキャップタオル３０を押して絞って水分を取る。
【００１９】
第二回転ブロック５０と第三回転ブロック６０が巻いたヘアキャップタオル３０を一定の程度に押した後、右端のスライドロッド４３が斜めブロック４４を下方へスライド連動させ、スライドブロック４８が第三バネ４６の引張力の作用の下で右方へスライドし、スライドブロック４８が凹溝３９の中に位置しなくなり、両側の第一固定ブロック１３をロックしなくなり、この時に左右両側の第一固定ブロック１３が第一回転軸１２の作用の下で回転することができ、同時に第一押しブロック５２と第二押しブロック５７とがそれぞれ第三固定ブロック５４と第四固定ブロック５６とを押し、スプラインスリーブ５５が第二スプライン軸３３との伝動係合を切り離し、第三回転ブロック６０と第二回転ブロック５０とを折り畳み、巻いており、且つ絞って水分を取り除いたヘアキャップタオル３０がＵ型を呈しており、且つスライドして取り出すことができる。
【００２０】
以上により、本発明の絞りやすい吸水ヘアキャップは操作が簡単で、反応が速く、絞る効率が高く、また、本発明装置は簡便で、安全で信頼でき、実用性が強いのである。
【００２１】
上記は発明の具体的な実施例だけであり、発明の保護範囲はこれに限定されたものではなく、創造的な労働を通さなく想到できる全ての変化又は入れ替わりは、本発明の保護範囲の中に含むべきである。
【図１】
2020175151.tif 000003
【図２】
2020175151.tif 000004
【図３】
2020175151.tif 000005
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
正面視で、ゴムスラブを含み、前記ゴムスラブの頂面にはフックが固定的に設置され、前記ゴムスラブの底壁には第一回転軸が左右対称的に回転できるように設置され、前記第一回転軸の底端には第一固定ブロックが固定的に設置され、左側の前記第一固定ブロックの中には第一空きチャンバが設置され、前記第一空きチャンバの底壁の中には第二空きチャンバが設置され、前記第二空きチャンバと前記第一空きチャンバとの間の端壁の中にはモーターが固定的に設置され、前記モーターの頂端には第一主動軸が動力が伝達できるように連結され、前記モーターの底端には第二主動軸が動力が伝達できるように連結され、前記第一主動軸の末端には第一ギヤが固定的に設置され、前記第二空きチャンバの右側端壁の中には上下に貫通している回転チャンバが設置され、前記回転チャンバの中には第一回転ブロックが回転できるように設置され、前記第一回転ブロックの外側には前記第一ギヤと噛み合っている第二ギヤが固定的に設置され、前記第一回転ブロックの中には上下に伸びている雌ネジ及び前記雌ネジと噛み合っているネジロッドが設置され、前記第一固定ブロックの底面には連結アームが固定的に設置され、前記連結アームの底面には第二固定ブロックが固定的に設置され、左側の前記第二固定ブロックの中には第三空きチャンバが設置され、前記第三空きチャンバの右側端壁の中には右方へ伸びている第一スプライン軸が回転できるように設置され、前記第三空きチャンバと前記第二空きチャンバとの間には前記連結アームの中に位置している第二回転軸が回転できるように設置され、前記第二回転軸と前記第二主動軸との間には第一自在継ぎ手が固定的に設置され、前記第一スプライン軸と前記第二回転軸との間には第二自在継ぎ手が固定的に設置され、右側の前記第二固定ブロックの中には左方へ伸びている第二スプライン軸が回転できるように設置され、前記第一スプライン軸には第一永久磁石が固定的に設置され、前記第二スプライン軸には第二永久磁石が固定的に設置され、前記第二永久磁石と前記第一永久磁石の底面には棒磁石が吸着できるように設置され、前記棒磁石の底面にはヘアキャップタオルが固定的に設置され、前記第一スプライン軸の右側末端には前記第一スプライン軸及び前記第二スプライン軸と噛み合っているスプラインスリーブがスライドできるように設置され、前記スプラインスリーブの外側には第三固定ブロックが固定的に設置され、前記第二スプライン軸の左側末端には第四固定ブロックが固定的に設置され、前記第四固定ブロックと前記第三固定ブロックとの間には第一バネが固定的に連結されており、したがって、モーターが第一スプライン軸と第二スプライン軸とを回転連動させ、またネジロッドを下方へスライド連動させ、 
左右二つの前記第一固定ブロックの中には下方に開口した第一スライド溝が設置され、前記第一スライド溝の中にはスライドロッドがスライドできるように設置され、前記スライドロッドと前記第一スライド溝の頂壁との間には第二バネが固定的に連結され、左側の前記第一固定ブロックの右端壁には右方に開口した凹溝が設置され、右側の前記第一固定ブロックの中には左方に開口した第二スライド溝が設置され、前記第二スライド溝の中にはスライドブロックがスライドできるように設置され、前記スライドブロックの右端が前記凹溝を貫通しており、前記スライドブロックの中には上下に貫通している抜き穴が設置され、前記スライドブロックと前記第二スライド溝の右側端壁との間には第三バネが固定的に連結され、右側の前記第一スライド溝と前記第二スライド溝との間には第三スライド溝が連通するように設置され、右側の前記スライドロッドの頂面には前記第三スライド溝と前記抜き穴との中に伸びている斜めブロックが固定的に設置されており、それによって、スライドロッドが下方へスライドし、スライドブロックを第三バネの引張力の作用の下で右方へスライドさせ、 
左端の前記スライドロッドの底面には第二回転ブロックが固定的に設置され、右端の前記スライドロッドの底面には第三回転ブロックが固定的に設置され、前記第三回転ブロックの左端壁には左方に開口した第四空きチャンバが設置され、前記第四空きチャンバの上下端壁の間には第三回転軸が回転できるように設置され、前記第三回転軸には前記第二回転ブロックの右側端面と固定的に連結された連結ブロックが固定的に設置され、前記第二回転ブロックの底面には前記第三固定ブロックを推し動かす第一押しブロックが固定的に設置され、前記第三回転ブロックの底端には前記第四固定ブロックを押し動かす第二押しブロックが固定的に設置されており、それによって、第二回転ブロックと第三回転ブロックとがそれぞれ第一押しブロックと第二押しブロックとを下方へスライド連動させ、同時に第二回転ブロックと第三回転ブロックが第三回転軸を回って回転することができることを特徴とする絞りやすい吸水ヘアキャップ。
【手続補正２】
【補正対象書類名】明細書
【補正対象項目名】全文
【補正方法】変更
【補正の内容】
【発明の詳細な説明】
【技術分野】
【０００１】
本発明は入浴用具分野に関わり、具体的には絞りやすい吸水ヘアキャップである。 
【背景技術】
【０００２】
伝統的な吸水ヘアキャップは吸水性がよく、布地がばさばさで、快速に絞って水分を取り除くことが難しく、また、普通のヘアキャップのタオルを収納する時、折り畳んで占用されるスペースが大きく、ハンガーでヘアキャップをシャワー室にかける時、広がってかけるので、空気との接触面積が多きく、水分を吸収しやすく、水分を吸収したタオルは雑菌が繁殖しやすく、したがって、絞りやすい吸水ヘアキャップを設計して、上記の問題を解決する必要がある。 
【先行技術文献】
【特許文献】
【０００３】
【特許文献１】中国特許出願公開第１０７５３６２２２号明細書
【発明の概要】
【発明が解決しようとする課題】
【０００４】
本発明が解決する技術問題は絞りやすい吸水ヘアキャップを提供し、それは上記既存の技術の中にある問題を解決できる。 
【課題を解決するための手段】
【０００５】
本発明は以下の技術プランにより実現される：本発明の絞りやすい吸水ヘアキャップは、ゴムスラブを含み、前記ゴムスラブの頂面にはフックが固定的に設置され、前記ゴムスラブの底壁には第一回転軸が左右対称的に回転できるように設置され、前記第一回転軸の底端には第一固定ブロックが固定的に設置され、左側の前記第一固定ブロックの中には第一空きチャンバが設置され、前記第一空きチャンバの底壁の中には第二空きチャンバが設置され、前記第二空きチャンバと前記第一空きチャンバとの間の端壁の中にはモーターが固定的に設置され、前記モーターの頂端には第一主動軸が動力が伝達できるように連結され、前記モーターの底端には第二主動軸が動力が伝達できるように連結され、前記第一主動軸の末端には第一ギヤが固定的に設置され、前記第二空きチャンバの右側端壁の中には上下に貫通している回転チャンバが設置され、前記回転チャンバの中には第一回転ブロックが回転できるように設置され、前記第一回転ブロックの外側には前記第一ギヤと噛み合っている第二ギヤが固定的に設置され、前記第一回転ブロックの中には上下に伸びている雌ネジ及び前記雌ネジと噛み合っているネジロッドが設置され、前記第一固定ブロックの底面には連結アームが固定的に設置され、前記連結アームの底面には第二固定ブロックが固定的に設置され、左側の前記第二固定ブロックの中には第三空きチャンバが設置され、前記第三空きチャンバの右側端壁の中には右方へ伸びている第一スプライン軸が回転できるように設置され、前記第三空きチャンバと前記第二空きチャンバとの間には前記連結アームの中に位置している第二回転軸が回転できるように設置され、前記第二回転軸と前記第二主動軸との間には第一自在継ぎ手が固定的に設置され、前記第一スプライン軸と前記第二回転軸との間には第二自在継ぎ手が固定的に設置され、右側の前記第二固定ブロックの中には左方へ伸びている第二スプライン軸が回転できるように設置され、前記第一スプライン軸には第一永久磁石が固定的に設置され、前記第二スプライン軸には第二永久磁石が固定的に設置され、前記第二永久磁石と前記第一永久磁石の底面には棒磁石が吸着できるように設置され、前記棒磁石の底面にはヘアキャップタオルが固定的に設置され、前記第一スプライン軸の右側末端には前記第一スプライン軸及び前記第二スプライン軸と噛み合っているスプラインスリーブがスライドできるように設置され、前記スプラインスリーブの外側には第三固定ブロックが固定的に設置され、前記第二スプライン軸の左側末端には第四固定ブロックが固定的に設置され、前記第四固定ブロックと前記第三固定ブロックとの間には第一バネが固定的に連結されている。 
【０００６】
好ましくは、左右二つの前記第一固定ブロックの中には下方に開口した第一スライド溝が設置され、前記第一スライド溝の中にはスライドロッドがスライドできるように設置され、前記スライドロッドと前記第一スライド溝の頂壁との間には第二バネが固定的に連結され、左側の前記第一固定ブロックの右端壁には右方に開口した凹溝が設置され、右側の前記第一固定ブロックの中には左方に開口した第二スライド溝が設置され、前記第二スライド溝の中にはスライドブロックがスライドできるように設置され、前記スライドブロックの右端が前記凹溝を貫通しており、前記スライドブロックの中には上下に貫通している抜き穴が設置され、前記スライドブロックと前記第二スライド溝の右側端壁との間には第三バネが固定的に連結され、右側の前記第一スライド溝と前記第二スライド溝との間には第三スライド溝が連通するように設置され、右側の前記スライドロッドの頂面には前記第三スライド溝と前記抜き穴との中に伸びている斜めブロックが固定的に設置されている。 
【０００７】
好ましくは、左端の前記スライドロッドの底面には第二回転ブロックが固定的に設置され、右端の前記スライドロッドの底面には第三回転ブロックが固定的に設置され、前記第三回転ブロックの左端壁には左方に開口した第四空きチャンバが設置され、前記第四空きチャンバの上下端壁の間には第三回転軸が回転できるように設置され、前記第三回転軸には前記第二回転ブロックの右側端面と固定的に連結された連結ブロックが固定的に設置され、前記第二回転ブロックの底面には前記第三固定ブロックを推し動かす第一押しブロックが固定的に設置され、前記第三回転ブロックの底端には前記第四固定ブロックを押し動かす第二押しブロックが固定的に設置されている。 
【発明の効果】
【０００８】
以上により、本発明の絞りやすい吸水ヘアキャップは操作が簡単で、反応が速く、絞る効率が高く、また、本発明装置は簡便で、安全で信頼でき、実用性が強いのである。 
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１０】
【図１】図１は本発明の絞りやすい吸水ヘアキャップの全体構成概略図
【図２】図２は図１の中のＡの拡大構成概略図
【図３】図３は図２の中のＢの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。 
【００１２】
図１〜３に示すように、本発明の絞りやすい吸水ヘアキャップは、ゴムスラブ１１を含み、前記ゴムスラブ１１の頂面にはフック１０が固定的に設置され、前記ゴムスラブ１１の底壁には第一回転軸１２が左右対称的に回転できるように設置され、前記第一回転軸１２の底端には第一固定ブロック１３が固定的に設置され、左側の前記第一固定ブロック１３の中には第一空きチャンバ１４が設置され、前記第一空きチャンバ１４の底壁の中には第二空きチャンバ２０が設置され、前記第二空きチャンバ２０と前記第一空きチャンバ１４との間の端壁の中にはモーター１７が固定的に設置され、前記モーター１７の頂端には第一主動軸１６が動力が伝達できるように連結され、前記モーター１７の底端には第二主動軸１８が動力が伝達できるように連結され、前記第一主動軸１６の末端には第一ギヤ１５が固定的に設置され、前記第二空きチャンバ２０の右側端壁の中には上下に貫通している回転チャンバ４０が設置され、前記回転チャンバ４０の中には第一回転ブロック３４が回転できるように設置され、前記第一回転ブロック３４の外側には前記第一ギヤ１５と噛み合っている第二ギヤ３７が固定的に設置され、前記第一回転ブロック３４の中には上下に伸びている雌ネジ３５及び前記雌ネジ３５と噛み合っているネジロッド３６が設置され、前記第一固定ブロック１３の底面には連結アーム２２が固定的に設置され、前記連結アーム２２の底面には第二固定ブロック２３が固定的に設置され、左側の前記第二固定ブロック２３の中には第三空きチャンバ２４が設置され、前記第三空きチャンバ２４の右側端壁の中には右方へ伸びている第一スプライン軸２６が回転できるように設置され、前記第三空きチャンバ２４と前記第二空きチャンバ２０との間には前記連結アーム２２の中に位置している第二回転軸２１が回転できるように設置され、前記第二回転軸２１と前記第二主動軸１８との間には第一自在継ぎ手１９が固定的に設置され、前記第一スプライン軸２６と前記第二回転軸２１との間には第二自在継ぎ手２５が固定的に設置され、右側の前記第二固定ブロック２３の中には左方へ伸びている第二スプライン軸３３が回転できるように設置され、前記第一スプライン軸２６には第一永久磁石２８が固定的に設置され、前記第二スプライン軸３３には第二永久磁石３１が固定的に設置され、前記第二永久磁石３１と前記第一永久磁石２８の底面には棒磁石２９が吸着できるように設置され、前記棒磁石２９の底面にはヘアキャップタオル３０が固定的に設置され、前記第一スプライン軸２６の右側末端には前記第一スプライン軸２６及び前記第二スプライン軸３３と噛み合っているスプラインスリーブ５５がスライドできるように設置され、前記スプラインスリーブ５５の外側には第三固定ブロック５４が固定的に設置され、前記第二スプライン軸３３の左側末端には第四固定ブロック５６が固定的に設置され、前記第四固定ブロック５６と前記第三固定ブロック５４との間には第一バネ５３が固定的に連結されている。 
【００１３】
有益なように、左右二つの前記第一固定ブロック１３の中には下方に開口した第一スライド溝４１が設置され、前記第一スライド溝４１の中にはスライドロッド４３がスライドできるように設置され、前記スライドロッド４３と前記第一スライド溝４１の頂壁との間には第二バネ４２が固定的に連結され、左側の前記第一固定ブロック１３の右端壁には右方に開口した凹溝３９が設置され、右側の前記第一固定ブロック１３の中には左方に開口した第二スライド溝４５が設置され、前記第二スライド溝４５の中にはスライドブロック４８がスライドできるように設置され、前記スライドブロック４８の右端が前記凹溝３９を貫通しており、前記スライドブロック４８の中には上下に貫通している抜き穴４７が設置され、前記スライドブロック４８と前記第二スライド溝４５の右側端壁との間には第三バネ４６が固定的に連結され、右側の前記第一スライド溝４１と前記第二スライド溝４５との間には第三スライド溝４９が連通するように設置され、右側の前記スライドロッド４３の頂面には前記第三スライド溝４９と前記抜き穴４７との中に伸びている斜めブロック４４が固定的に設置されている。 
【００１４】
有益なように、左端の前記スライドロッド４３の底面には第二回転ブロック５０が固定的に設置され、右端の前記スライドロッド４３の底面には第三回転ブロック６０が固定的に設置され、前記第三回転ブロック６０の左端壁には左方に開口した第四空きチャンバ５８が設置され、前記第四空きチャンバ５８の上下端壁の間には第三回転軸５９が回転できるように設置され、前記第三回転軸５９には前記第二回転ブロック５０の右側端面と固定的に連結された連結ブロック５１が固定的に設置され、前記第二回転ブロック５０の底面には前記第三固定ブロック５４を推し動かす第一押しブロック５２が固定的に設置され、前記第三回転ブロック６０の底端には前記第四固定ブロック５６を押し動かす第二押しブロック５７が固定的に設置されている。 
【００１５】
以下、出願人は附図１〜３及び上記の本出願の絞りやすい吸水ヘアキャップの具体的な構成を参考してその使用方法を詳しく紹介する： 
【００１６】
最初、初期状態にある時、スプラインスリーブ５５が第二スプライン軸３３と伝動できるように作動し合い、スライドブロック４８が凹溝３９の中に伸びている。 
【００１７】
棒磁石２９を第一永久磁石２８と第二永久磁石３１とに吸着させ、その後、モーター１７を始動し、モーター１７が第一主動軸１６と第二主動軸１８とを回転連動させ、第二主動軸１８が第二回転軸２１を回転連動させ、第二回転軸２１が第一スプライン軸２６を回転連動させ、第一スプライン軸２６がスプラインスリーブ５５によって第二スプライン軸３３を回転連動させ、第一スプライン軸２６と第二スプライン軸３３とがそれぞれ第一永久磁石２８と第二永久磁石３１とを回転連動させ、この時にヘアキャップタオル３０が回転して第一永久磁石２８と第二永久磁石３１に巻き付く。 
【００１８】
それと同時に、第一主動軸１６が第一ギヤ１５を回転連動させ、第一ギヤ１５が第二ギヤ３７と第一回転ブロック３４とを回転連動させ、第一回転ブロック３４が回転してネジロッド３６を下方へスライド連動させ、ネジロッド３６が第二回転ブロック５０を押し、第二回転ブロック５０と第三回転ブロック６０とが下方へスライドして巻いたヘアキャップタオル３０を押して絞って水分を取る。 
【００１９】
第二回転ブロック５０と第三回転ブロック６０が巻いたヘアキャップタオル３０を一定の程度に押した後、右端のスライドロッド４３が斜めブロック４４を下方へスライド連動させ、スライドブロック４８が第三バネ４６の引張力の作用の下で右方へスライドし、スライドブロック４８が凹溝３９の中に位置しなくなり、両側の第一固定ブロック１３をロックしなくなり、この時に左右両側の第一固定ブロック１３が第一回転軸１２の作用の下で回転することができ、同時に第一押しブロック５２と第二押しブロック５７とがそれぞれ第三固定ブロック５４と第四固定ブロック５６とを押し、スプラインスリーブ５５が第二スプライン軸３３との伝動係合を切り離し、第三回転ブロック６０と第二回転ブロック５０とを折り畳み、巻いており、且つ絞って水分を取り除いたヘアキャップタオル３０がＵ型を呈しており、且つスライドして取り出すことができる。 
【００２０】
以上により、本発明の絞りやすい吸水ヘアキャップは操作が簡単で、反応が速く、絞る効率が高く、また、本発明装置は簡便で、安全で信頼でき、実用性が強いのである。 
【００２１】
上記は発明の具体的な実施例だけであり、発明の保護範囲はこれに限定されたものではなく、創造的な労働を通さなく想到できる全ての変化又は入れ替わりは、本発明の保護範囲の中に含むべきである。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
正面視で、ゴムスラブを含み、前記ゴムスラブの頂面にはフックが固定的に設置され、前記ゴムスラブの底壁には第一回転軸が左右対称的に回転できるように設置され、前記第一回転軸の底端には第一固定ブロックが固定的に設置され、左側の前記第一固定ブロックの中には第一空きチャンバが設置され、前記第一空きチャンバの底壁の中には第二空きチャンバが設置され、前記第二空きチャンバと前記第一空きチャンバとの間の端壁の中にはモーターが固定的に設置され、前記モーターの頂端には第一主動軸が動力が伝達できるように連結され、前記モーターの底端には第二主動軸が動力が伝達できるように連結され、前記第一主動軸の末端には第一ギヤが固定的に設置され、前記第二空きチャンバの右側端壁の中には上下に貫通している回転チャンバが設置され、前記回転チャンバの中には第一回転ブロックが回転できるように設置され、前記第一回転ブロックの外側には前記第一ギヤと噛み合っている第二ギヤが固定的に設置され、前記第一回転ブロックの中には上下に伸びている雌ネジ及び前記雌ネジと噛み合っているネジロッドが設置され、前記第一固定ブロックの底面には連結アームが固定的に設置され、前記連結アームの底面には第二固定ブロックが固定的に設置され、左側の前記第二固定ブロックの中には第三空きチャンバが設置され、前記第三空きチャンバの右側端壁の中には右方へ伸びている第一スプライン軸が回転できるように設置され、前記第三空きチャンバと前記第二空きチャンバとの間には前記連結アームの中に位置している第二回転軸が回転できるように設置され、前記第二回転軸と前記第二主動軸との間には第一自在継ぎ手が固定的に設置され、前記第一スプライン軸と前記第二回転軸との間には第二自在継ぎ手が固定的に設置され、右側の前記第二固定ブロックの中には左方へ伸びている第二スプライン軸が回転できるように設置され、前記第一スプライン軸には第一永久磁石が固定的に設置され、前記第二スプライン軸には第二永久磁石が固定的に設置され、前記第二永久磁石と前記第一永久磁石の底面には棒磁石が吸着できるように設置され、前記棒磁石の底面にはヘアキャップタオルが固定的に設置され、前記第一スプライン軸の右側末端には前記第一スプライン軸及び前記第二スプライン軸と噛み合っているスプラインスリーブがスライドできるように設置され、前記スプラインスリーブの外側には第三固定ブロックが固定的に設置され、前記第二スプライン軸の左側末端には第四固定ブロックが固定的に設置され、前記第四固定ブロックと前記第三固定ブロックとの間には第一バネが固定的に連結されており、したがって、モーターが第一スプライン軸と第二スプライン軸とを回転連動させ、またネジロッドを下方へスライド連動させ、  
左右二つの前記第一固定ブロックの中には下方に開口した第一スライド溝が設置され、前記第一スライド溝の中にはスライドロッドがスライドできるように設置され、前記スライドロッドと前記第一スライド溝の頂壁との間には第二バネが固定的に連結され、左側の前記第一固定ブロックの右端壁には右方に開口した凹溝が設置され、右側の前記第一固定ブロックの中には左方に開口した第二スライド溝が設置され、前記第二スライド溝の中には前記凹溝の中に伸びることができるスライドブロックがスライドできるように設置され、前記スライドブロックの中には上下に貫通している抜き穴が設置され、前記スライドブロックと前記第二スライド溝の右側端壁との間には第三バネが固定的に連結され、右側の前記第一スライド溝と前記第二スライド溝との間には第三スライド溝が連通するように設置され、右側の前記スライドロッドの頂面には前記第三スライド溝と前記抜き穴との中に伸びている斜めブロックが固定的に設置されており、それによって、スライドロッドが下方へスライドし、スライドブロックを第三バネの引張力の作用の下で右方へスライドさせ、  
左端の前記スライドロッドの底面には第二回転ブロックが固定的に設置され、右端の前記スライドロッドの底面には第三回転ブロックが固定的に設置され、前記第三回転ブロックの左端壁には左方に開口した第四空きチャンバが設置され、前記第四空きチャンバの上下端壁の間には第三回転軸が回転できるように設置され、前記第三回転軸には前記第二回転ブロックの右側端面と固定的に連結された連結ブロックが固定的に設置され、前記第二回転ブロックの底面には前記第三固定ブロックを推し動かす第一押しブロックが固定的に設置され、前記第三回転ブロックの底端には前記第四固定ブロックを押し動かす第二押しブロックが固定的に設置されており、それによって、第二回転ブロックと第三回転ブロックとがそれぞれ第一押しブロックと第二押しブロックとを下方へスライド連動させ、同時に第二回転ブロックと第三回転ブロックが第三回転軸を回って回転することができることを特徴とする絞りやすい吸水ヘアキャップ。
【手続補正２】
【補正対象書類名】明細書
【補正対象項目名】全文
【補正方法】変更
【補正の内容】
【発明の詳細な説明】
【技術分野】
【０００１】
本発明は入浴用具分野に関わり、具体的には絞りやすい吸水ヘアキャップである。  
【背景技術】
【０００２】
伝統的な吸水ヘアキャップは吸水性がよく、布地がばさばさで、快速に絞って水分を取り除くことが難しく、また、普通のヘアキャップのタオルを収納する時、折り畳んで占用されるスペースが大きく、ハンガーでヘアキャップをシャワー室にかける時、広がってかけるので、空気との接触面積が多きく、水分を吸収しやすく、水分を吸収したタオルは雑菌が繁殖しやすく、したがって、絞りやすい吸水ヘアキャップを設計して、上記の問題を解決する必要がある。  
【先行技術文献】
【特許文献】
【０００３】
【特許文献１】中国特許出願公開第１０７５３６２２２号明細書
【発明の概要】
【発明が解決しようとする課題】
【０００４】
本発明が解決する技術問題は絞りやすい吸水ヘアキャップを提供し、それは上記既存の技術の中にある問題を解決できる。  
【課題を解決するための手段】
【０００５】
本発明は以下の技術プランにより実現される：本発明の絞りやすい吸水ヘアキャップは、ゴムスラブを含み、前記ゴムスラブの頂面にはフックが固定的に設置され、前記ゴムスラブの底壁には第一回転軸が左右対称的に回転できるように設置され、前記第一回転軸の底端には第一固定ブロックが固定的に設置され、左側の前記第一固定ブロックの中には第一空きチャンバが設置され、前記第一空きチャンバの底壁の中には第二空きチャンバが設置され、前記第二空きチャンバと前記第一空きチャンバとの間の端壁の中にはモーターが固定的に設置され、前記モーターの頂端には第一主動軸が動力が伝達できるように連結され、前記モーターの底端には第二主動軸が動力が伝達できるように連結され、前記第一主動軸の末端には第一ギヤが固定的に設置され、前記第二空きチャンバの右側端壁の中には上下に貫通している回転チャンバが設置され、前記回転チャンバの中には第一回転ブロックが回転できるように設置され、前記第一回転ブロックの外側には前記第一ギヤと噛み合っている第二ギヤが固定的に設置され、前記第一回転ブロックの中には上下に伸びている雌ネジ及び前記雌ネジと噛み合っているネジロッドが設置され、前記第一固定ブロックの底面には連結アームが固定的に設置され、前記連結アームの底面には第二固定ブロックが固定的に設置され、左側の前記第二固定ブロックの中には第三空きチャンバが設置され、前記第三空きチャンバの右側端壁の中には右方へ伸びている第一スプライン軸が回転できるように設置され、前記第三空きチャンバと前記第二空きチャンバとの間には前記連結アームの中に位置している第二回転軸が回転できるように設置され、前記第二回転軸と前記第二主動軸との間には第一自在継ぎ手が固定的に設置され、前記第一スプライン軸と前記第二回転軸との間には第二自在継ぎ手が固定的に設置され、右側の前記第二固定ブロックの中には左方へ伸びている第二スプライン軸が回転できるように設置され、前記第一スプライン軸には第一永久磁石が固定的に設置され、前記第二スプライン軸には第二永久磁石が固定的に設置され、前記第二永久磁石と前記第一永久磁石の底面には棒磁石が吸着できるように設置され、前記棒磁石の底面にはヘアキャップタオルが固定的に設置され、前記第一スプライン軸の右側末端には前記第一スプライン軸及び前記第二スプライン軸と噛み合っているスプラインスリーブがスライドできるように設置され、前記スプラインスリーブの外側には第三固定ブロックが固定的に設置され、前記第二スプライン軸の左側末端には第四固定ブロックが固定的に設置され、前記第四固定ブロックと前記第三固定ブロックとの間には第一バネが固定的に連結されている。  
【０００６】
好ましくは、左右二つの前記第一固定ブロックの中には下方に開口した第一スライド溝が設置され、前記第一スライド溝の中にはスライドロッドがスライドできるように設置され、前記スライドロッドと前記第一スライド溝の頂壁との間には第二バネが固定的に連結され、左側の前記第一固定ブロックの右端壁には右方に開口した凹溝が設置され、右側の前記第一固定ブロックの中には左方に開口した第二スライド溝が設置され、前記第二スライド溝の中には前記凹溝の中に伸びることができるスライドブロックがスライドできるように設置され、前記スライドブロックの中には上下に貫通している抜き穴が設置され、前記スライドブロックと前記第二スライド溝の右側端壁との間には第三バネが固定的に連結され、右側の前記第一スライド溝と前記第二スライド溝との間には第三スライド溝が連通するように設置され、右側の前記スライドロッドの頂面には前記第三スライド溝と前記抜き穴との中に伸びている斜めブロックが固定的に設置されている。  
【０００７】
好ましくは、左端の前記スライドロッドの底面には第二回転ブロックが固定的に設置され、右端の前記スライドロッドの底面には第三回転ブロックが固定的に設置され、前記第三回転ブロックの左端壁には左方に開口した第四空きチャンバが設置され、前記第四空きチャンバの上下端壁の間には第三回転軸が回転できるように設置され、前記第三回転軸には前記第二回転ブロックの右側端面と固定的に連結された連結ブロックが固定的に設置され、前記第二回転ブロックの底面には前記第三固定ブロックを推し動かす第一押しブロックが固定的に設置され、前記第三回転ブロックの底端には前記第四固定ブロックを押し動かす第二押しブロックが固定的に設置されている。  
【発明の効果】
【０００８】
以上により、本発明の絞りやすい吸水ヘアキャップは操作が簡単で、反応が速く、絞る効率が高く、また、本発明装置は簡便で、安全で信頼でき、実用性が強いのである。  
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１０】
【図１】図１は本発明の絞りやすい吸水ヘアキャップの全体構成概略図
【図２】図２は図１の中のＡの拡大構成概略図
【図３】図３は図２の中のＢの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。  
【００１２】
図１〜３に示すように、本発明の絞りやすい吸水ヘアキャップは、ゴムスラブ１１を含み、前記ゴムスラブ１１の頂面にはフック１０が固定的に設置され、前記ゴムスラブ１１の底壁には第一回転軸１２が左右対称的に回転できるように設置され、前記第一回転軸１２の底端には第一固定ブロック１３が固定的に設置され、左側の前記第一固定ブロック１３の中には第一空きチャンバ１４が設置され、前記第一空きチャンバ１４の底壁の中には第二空きチャンバ２０が設置され、前記第二空きチャンバ２０と前記第一空きチャンバ１４との間の端壁の中にはモーター１７が固定的に設置され、前記モーター１７の頂端には第一主動軸１６が動力が伝達できるように連結され、前記モーター１７の底端には第二主動軸１８が動力が伝達できるように連結され、前記第一主動軸１６の末端には第一ギヤ１５が固定的に設置され、前記第二空きチャンバ２０の右側端壁の中には上下に貫通している回転チャンバ４０が設置され、前記回転チャンバ４０の中には第一回転ブロック３４が回転できるように設置され、前記第一回転ブロック３４の外側には前記第一ギヤ１５と噛み合っている第二ギヤ３７が固定的に設置され、前記第一回転ブロック３４の中には上下に伸びている雌ネジ３５及び前記雌ネジ３５と噛み合っているネジロッド３６が設置され、前記第一固定ブロック１３の底面には連結アーム２２が固定的に設置され、前記連結アーム２２の底面には第二固定ブロック２３が固定的に設置され、左側の前記第二固定ブロック２３の中には第三空きチャンバ２４が設置され、前記第三空きチャンバ２４の右側端壁の中には右方へ伸びている第一スプライン軸２６が回転できるように設置され、前記第三空きチャンバ２４と前記第二空きチャンバ２０との間には前記連結アーム２２の中に位置している第二回転軸２１が回転できるように設置され、前記第二回転軸２１と前記第二主動軸１８との間には第一自在継ぎ手１９が固定的に設置され、前記第一スプライン軸２６と前記第二回転軸２１との間には第二自在継ぎ手２５が固定的に設置され、右側の前記第二固定ブロック２３の中には左方へ伸びている第二スプライン軸３３が回転できるように設置され、前記第一スプライン軸２６には第一永久磁石２８が固定的に設置され、前記第二スプライン軸３３には第二永久磁石３１が固定的に設置され、前記第二永久磁石３１と前記第一永久磁石２８の底面には棒磁石２９が吸着できるように設置され、前記棒磁石２９の底面にはヘアキャップタオル３０が固定的に設置され、前記第一スプライン軸２６の右側末端には前記第一スプライン軸２６及び前記第二スプライン軸３３と噛み合っているスプラインスリーブ５５がスライドできるように設置され、前記スプラインスリーブ５５の外側には第三固定ブロック５４が固定的に設置され、前記第二スプライン軸３３の左側末端には第四固定ブロック５６が固定的に設置され、前記第四固定ブロック５６と前記第三固定ブロック５４との間には第一バネ５３が固定的に連結されている。  
【００１３】
有益なように、左右二つの前記第一固定ブロック１３の中には下方に開口した第一スライド溝４１が設置され、前記第一スライド溝４１の中にはスライドロッド４３がスライドできるように設置され、前記スライドロッド４３と前記第一スライド溝４１の頂壁との間には第二バネ４２が固定的に連結され、左側の前記第一固定ブロック１３の右端壁には右方に開口した凹溝３９が設置され、右側の前記第一固定ブロック１３の中には左方に開口した第二スライド溝４５が設置され、前記第二スライド溝４５の中には前記凹溝３９の中に伸びることができるスライドブロック４８がスライドできるように設置され、前記スライドブロック４８の中には上下に貫通している抜き穴４７が設置され、前記スライドブロック４８と前記第二スライド溝４５の右側端壁との間には第三バネ４６が固定的に連結され、右側の前記第一スライド溝４１と前記第二スライド溝４５との間には第三スライド溝４９が連通するように設置され、右側の前記スライドロッド４３の頂面には前記第三スライド溝４９と前記抜き穴４７との中に伸びている斜めブロック４４が固定的に設置されている。  
【００１４】
有益なように、左端の前記スライドロッド４３の底面には第二回転ブロック５０が固定的に設置され、右端の前記スライドロッド４３の底面には第三回転ブロック６０が固定的に設置され、前記第三回転ブロック６０の左端壁には左方に開口した第四空きチャンバ５８が設置され、前記第四空きチャンバ５８の上下端壁の間には第三回転軸５９が回転できるように設置され、前記第三回転軸５９には前記第二回転ブロック５０の右側端面と固定的に連結された連結ブロック５１が固定的に設置され、前記第二回転ブロック５０の底面には前記第三固定ブロック５４を推し動かす第一押しブロック５２が固定的に設置され、前記第三回転ブロック６０の底端には前記第四固定ブロック５６を押し動かす第二押しブロック５７が固定的に設置されている。  
【００１５】
以下、出願人は附図１〜３及び上記の本出願の絞りやすい吸水ヘアキャップの具体的な構成を参考してその使用方法を詳しく紹介する：  
【００１６】
最初、初期状態にある時、スプラインスリーブ５５が第二スプライン軸３３と伝動できるように作動し合い、スライドブロック４８が凹溝３９の中に伸びている。  
【００１７】
棒磁石２９を第一永久磁石２８と第二永久磁石３１とに吸着させ、その後、モーター１７を始動し、モーター１７が第一主動軸１６と第二主動軸１８とを回転連動させ、第二主動軸１８が第二回転軸２１を回転連動させ、第二回転軸２１が第一スプライン軸２６を回転連動させ、第一スプライン軸２６がスプラインスリーブ５５によって第二スプライン軸３３を回転連動させ、第一スプライン軸２６と第二スプライン軸３３とがそれぞれ第一永久磁石２８と第二永久磁石３１とを回転連動させ、この時にヘアキャップタオル３０が回転して第一永久磁石２８と第二永久磁石３１に巻き付く。  
【００１８】
それと同時に、第一主動軸１６が第一ギヤ１５を回転連動させ、第一ギヤ１５が第二ギヤ３７と第一回転ブロック３４とを回転連動させ、第一回転ブロック３４が回転してネジロッド３６を下方へスライド連動させ、ネジロッド３６が第二回転ブロック５０を押し、第二回転ブロック５０と第三回転ブロック６０とが下方へスライドして巻いたヘアキャップタオル３０を押して絞って水分を取る。  
【００１９】
第二回転ブロック５０と第三回転ブロック６０が巻いたヘアキャップタオル３０を一定の程度に押した後、右端のスライドロッド４３が斜めブロック４４を下方へスライド連動させ、スライドブロック４８が第三バネ４６の引張力の作用の下で右方へスライドし、スライドブロック４８が凹溝３９の中に位置しなくなり、両側の第一固定ブロック１３をロックしなくなり、この時に左右両側の第一固定ブロック１３が第一回転軸１２の作用の下で回転することができ、同時に第一押しブロック５２と第二押しブロック５７とがそれぞれ第三固定ブロック５４と第四固定ブロック５６とを押し、スプラインスリーブ５５が第二スプライン軸３３との伝動係合を切り離し、第三回転ブロック６０と第二回転ブロック５０とを折り畳み、巻いており、且つ絞って水分を取り除いたヘアキャップタオル３０がＵ型を呈しており、且つスライドして取り出すことができる。  
【００２０】
以上により、本発明の絞りやすい吸水ヘアキャップは操作が簡単で、反応が速く、絞る効率が高く、また、本発明装置は簡便で、安全で信頼でき、実用性が強いのである。  
【００２１】
上記は発明の具体的な実施例だけであり、発明の保護範囲はこれに限定されたものではなく、創造的な労働を通さなく想到できる全ての変化又は入れ替わりは、本発明の保護範囲の中に含むべきである。